(57)【要約】      （修正有）【課題】医用画像を管理するシステムが複数ある場合に、医用画像の情報を適切に管理することができる装置を提供する。【解決手段】医用画像と付帯情報とを第１の外部システムから取得し、医用画像または付帯情報のいずれにも医用画像を一意に識別する識別情報が含まれない場合には、第２の外部システムに医用画像に関する情報を登録するためのメッセージを第２の外部システムに出力するように制御し、医用画像または付帯情報の少なくともいずれか一方に識別情報が含まれている場合には、メッセージを第２の外部システムに出力しないように制御する。【選択図】図９
2019101484.tif 000002
【特許請求の範囲】
【請求項１】
医用画像と、前記医用画像に付帯する情報である付帯情報とを第１の外部システムから取得する取得部と、
前記医用画像または前記付帯情報のいずれにも、前記医用画像を一意に識別する識別情報が含まれない場合には、前記第１の外部システムとは異なる第２の外部システムに前記医用画像に関する情報を登録するためのメッセージを、前記第２の外部システムに出力するように制御し、
前記医用画像または前記付帯情報の少なくともいずれか一方に前記識別情報が含まれている場合には、前記メッセージを前記第２の外部システムに出力しないように制御する制御手段と、
を有することを特徴とする情報処理装置。
【請求項２】
前記医用画像または前記付帯情報のいずれにも前記医用画像を一意に識別する識別情報が含まれない場合に、前記識別情報を生成する生成手段をさらに有し、
前記制御手段は、前記医用画像または前記付帯情報のいずれにも前記識別情報が含まれない場合には、前記生成された前記識別情報を含む前記メッセージを出力するように制御することを特徴とする請求項１に記載の情報処理装置。
【請求項３】
前記制御手段は、前記医用画像または前記付帯情報のいずれにも前記医用画像を一意に識別する識別情報が含まれない場合に、前記生成された識別情報を前記医用画像に対応づけることを特徴とする請求項２に記載の情報処理装置。
【請求項４】
前記生成手段は、情報処理装置を一意に識別するオブジェクト識別子に基づいて、前記医用画像を一意に識別する識別情報を生成することを特徴とする請求項２又は請求項３のいずれか１項に記載の情報処理装置。
【請求項５】
前記制御手段は、前記第２の外部システムに対して前記医用画像に関する情報が登録されているかを問い合わせ、
前記第２の外部システムに前記医用画像に関する情報が登録されていない場合には、前記メッセージを前記第２の外部システムに出力するように制御し、
前記第２の外部システムに前記医用画像に関する情報が登録されている場合には、前記メッセージを前記第２の外部システムに出力しないように制御することを特徴とする請求項１乃至請求項４のいずれか１項に記載の情報処理装置。
【請求項６】
前記制御手段は、前記第１の外部システムに対して前記メッセージを前記第２の外部システムに送信したか否かを問い合わせ、
前記第１の外部システムが前記メッセージを前記第２の外部システムに送信していない場合には、前記メッセージを前記第２の外部システムに出力するように制御し、
前記第１の外部システムが前記メッセージを前記第２の外部システムに送信している場合には、前記メッセージを前記第２の外部システムに出力しないように制御することを特徴とする請求項１乃至請求項５のいずれか１項に記載の情報処理装置。
【請求項７】
前記制御手段は、前記付帯情報に、前記メッセージを前記第２の外部システムに出力することが必要であると記載されている場合には、前記メッセージを前記第２の外部システムに出力するように制御し、
前記付帯情報に、前記メッセージを前記第２の外部システムに出力することが不要であると記載されている場合には、前記メッセージを前記第２の外部システムに出力しないように制御することを特徴とする請求項１乃至請求項６のいずれか１項に記載の情報処理装置。
【請求項８】
前記第２の外部システムは、電子カルテシステムであることを特徴とする請求項１乃至請求項７のいずれか１項に記載の情報処理装置。
【請求項９】
医用画像を管理するための情報処理装置であって、
記憶部に記憶された医用画像をユーザーの指示に基づいて削除する削除手段と、
前記医用画像を一意に識別する識別情報が前記情報処理装置により生成された識別情報である場合には、前記医用画像が削除されたことを示すメッセージを外部システムに出力するように制御し、
前記医用画像を一意に識別する識別情報が前記情報処理装置により生成された識別情報でない場合には、前記メッセージを前記外部システムに出力しないように制御する制御手段と、
を有することを特徴とする情報処理装置。
【請求項１０】
前記識別情報は、前記医用画像を一意に識別する画像ＵＩＤを含むことを特徴とする請求項１乃至請求項９のいずれか１項に記載の情報処理装置。
【請求項１１】
前記識別情報は、前記医用画像が撮影された検査を一意に識別する検査ＵＩＤを含むことを特徴とする請求項１乃至請求項１０のいずれか１項に記載の情報処理装置。
【請求項１２】
前記メッセージは、前記第１の外部システムに記憶された前記医用画像へのリンク情報を前記第２の外部システムに登録するためのメッセージであることを特徴とする請求項１乃至請求項１１のいずれか１項に記載の情報処理装置。
【請求項１３】
医用画像と、前記医用画像に付帯する情報である付帯情報とを第１の外部システムから取得する取得部と、
前記医用画像または前記付帯情報のいずれにも、前記医用画像を一意に識別する識別情報が含まれない場合には、前記第１の外部システムとは異なる第２の外部システムに前記医用画像に関する情報を登録するためのメッセージを、前記第２の外部システムに出力するように制御し、
前記医用画像または前記付帯情報の少なくともいずれか一方に前記識別情報が含まれている場合には、前記メッセージを前記第２の外部システムに出力しないように制御する制御手段と、
を有することを特徴とする情報処理システム。
【請求項１４】
医用画像と、前記医用画像に付帯する情報である付帯情報とを第１の外部システムから取得する工程と、
前記医用画像または前記付帯情報のいずれにも、前記医用画像を一意に識別する識別情報が含まれない場合には、前記第１の外部システムとは異なる第２の外部システムに前記医用画像に関する情報を登録するためのメッセージを、前記第２の外部システムに出力するように制御し、
前記医用画像または前記付帯情報の少なくともいずれか一方に前記識別情報が含まれている場合には、前記メッセージを前記第２の外部システムに出力しないように制御する工程と、
を有することを特徴とする情報処理方法。
【請求項１５】
請求項１４に記載の情報処理方法をコンピュータに実行させるためのプログラム。
【発明の詳細な説明】
【技術分野】
【０００１】
本明細書の開示は、情報処理装置、情報処理システム、情報処理方法及びプログラムに関する。
【背景技術】
【０００２】
近年、ＣＴ（Ｃｏｍｐｕｔｅｄ  Ｔｏｍｏｇｒａｐｈｙ）装置やＭＲＩ（Ｍａｇｎｅｔｉｃ  Ｒｅｓｏｎａｎｃｅ  Ｉｍａｇｉｎｇ）装置といったモダリティから出力される画像に加え、デジタルカメラから出力される写真やスキャナーから出力される文書の画像など、様々な画像が医用画像として管理され、医療現場で用いられている。特許文献１には、患者の紹介状などの文書をＭＦＰ（Ｍｕｌｔｉ  Ｆｕｎｃｔｉｏｎ  Ｐｅｒｉｐｈｅｒａｌ）でスキャンした画像を取得し、患者情報と対応づけて電子カルテに送信する医用画像サーバーが開示されている。
【先行技術文献】
【特許文献】
【０００３】
【特許文献１】特開２０１４−１２００８３号公報
【発明の概要】
【発明が解決しようとする課題】
【０００４】
画像を取得し、当該画像を電子カルテに送信するシステムが、医療機関内に複数存在する場合、同じ画像が複数のシステムを介して二重に電子カルテに送信され、当該画像の情報を適切に管理できないおそれがある。
【課題を解決するための手段】
【０００５】
本発明の実施形態に係る情報処理装置は、汎用画像ならびにその付帯情報を受信する画像受信部と、汎用画像ならびにその付帯情報を記憶する汎用画像記憶部と、前期画像受信部が受信した汎用画像ならびにその付帯情報を前記汎用画像記憶部に記憶し、記憶した旨を外部システムに通知する汎用画像管理制御部を持つ汎用画像管理システムであって、
前記汎用画像管理制御部は、受信した汎用画像または付帯情報に識別情報が含まれるか否かに基づいて、外部システムに当該汎用画像が登録されたかどうかを通知するか否かを判定し、識別情報が含まれない場合に、当該汎用画像に識別情報を付与して、外部システムに通知することを特徴とする。
【発明の効果】
【０００６】
本発明の実施形態にかかる情報処理装置によれば、医用画像に含まれる識別情報に基づいて、当該医用画像が取得されたことを示す情報を適切に管理することができる。
【図面の簡単な説明】
【０００７】
【図１】実施例１にかかる情報処理装置と、関連するシステムの構成の一例を示す図。
【図２】外部画像システムＡ１０４により撮影された非ＤＩＣＯＭ画像を登録する場合の、各システムの処理の一例を表したシーケンス図。
【図３】外部画像システムＢ１０５により撮影された非ＤＩＣＯＭ画像を登録する場合の、各システムの処理の一例を表したシーケンス図。
【図４】外部画像システムＡ１０４が出力するメタ情報の一例を示す図。
【図５】外部画像システムＢ１０５が出力するメタ情報の一例を示す図。
【図６】実施例１にかかる情報処理装置の機能構成の一例を示す図。
【図７】ＩＤ生成部６０１がユニークＩＤを生成する処理の一例を示すフローチャート。
【図８】ＩＤ生成部６０１が生成する検査ＵＩＤ、シリーズＵＩＤ、画像ＵＩＤの一例を示す図。
【図９】情報処理装置が画像とメタ情報を保存し、メッセージを出力する処理の一例を示すフローチャート。
【図１０】情報処理装置が出力する画像登録メッセージの一例を示す図。
【図１１】実施例２にかかる情報処理装置の機能構成の一例を示す図。
【図１２】外部画像システムＢ１０５により撮影された非ＤＩＣＯＭ画像を登録する場合の、各システムの処理の一例を表したシーケンス図。
【図１３】情報処理装置が画像とメタ情報を保存し、メッセージを出力する処理の一例を示すフローチャート。
【図１４】外部画像システムＢ１０５により撮影された非ＤＩＣＯＭ画像を登録する場合の、各システムの処理の一例を表したシーケンス図。
【図１５】情報処理装置が画像とメタ情報を保存し、メッセージを出力する処理の一例を示すフローチャート。
【図１６】外部画像システムＢ１０５が出力するメタ情報の一例を示す図。
【図１７】情報処理装置が画像とメタ情報を保存し、メッセージを出力する処理の一例を示すフローチャート。
【図１８】情報処理装置が画像を削除する処理の一例を示すフローチャート。
【図１９】情報処理装置が出力する画像削除を表すメッセージの一例を示す図。
【発明を実施するための形態】
【０００８】
［実施例１］
近年、医療現場で用いられる各種の情報が電子化され、管理されている。ＣＴ装置やＭＲＩ装置などのモダリティで撮影され、診断に用いられる被検体の画像は、ＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）規格に則って扱われる。ＤＩＣＯＭは医用画像のフォーマットと、それらの画像を扱う装置間の通信プロトコルを定義した規格である。以下では、ＤＩＣＯＭ規格に則り扱われる画像をＤＩＣＯＭ画像と称する。ＤＩＣＯＭ画像を記憶し、参照するための装置としてＰＡＣＳ（Ｐｉｃｔｕｒｅ  Ａｒｃｈｉｖｅ  ａｎｄ  Ｃｏｍｍｕｎｉｃａｔｉｏｎ  Ｓｙｓｔｅｍ）が開発され、広く用いられている。
【０００９】
また、診断に用いられる被検体の画像のうち、内視鏡システムや眼底カメラなど、ＤＩＣＯＭ規格に準拠しないで扱われる画像がある。以下では、ＤＩＣＯＭ規格に準拠しないで扱われる画像を、非ＤＩＣＯＭ画像と称する。さらに、医療現場で用いられる画像には、デジタルカメラから出力される写真やスキャナーから出力される文書の画像などがあり、医用画像として管理される画像の種別は増加している。
【００１０】
患者の診療録を電子保存する電子カルテには、当該患者に関する画像の情報が記憶される。ＤＩＣＯＭ画像のみならず、写真や文書の画像、非ＤＩＣＯＭ画像を含めて統合的に管理し、電子カルテにも適切に情報を送信できることが求められている。実施例１にかかる情報処理装置は、複数のシステムにおいて取得される医用画像を統合的に管理し、電子カルテに当該取得された医用画像の情報を適切に送信することを目的とする。具体的には、実施例１にかかる情報処理装置は、外部システムが取得した医用画像の情報を管理するとともに、当該外部システムが電子カルテに当該医用画像の情報を送信しない場合に、電子カルテに当該医用画像の情報を送信する。
【００１１】
図１は、汎用画像管理システム１００と、関連するシステムを示すシステム構成図である。以下では、汎用画像管理システム１００を汎用システム１００と称する。汎用システム１００は、たとえばコンピュータにより実現され、実施例１にかかる情報処理装置の一例である。
【００１２】
汎用システム１００は、モダリティ１０１ならびにデジタルカメラ１０２、スキャナー１０３、外部画像システムＡ１０４、外部画像システムＢ１０５、電子カルテシステム１０６、ＰＡＣＳ１０７とネットワーク接続されている。
【００１３】
汎用システム１００は、ＰＡＣＳ１０７からＤＩＣＯＭ画像を受信し、受信した情報に基づいてＰＡＣＳ１０７の当該ＤＩＣＯＭ画像を参照するためのリンクを作成する。また、汎用システム１００は、デジタルカメラ１０２から写真を、スキャナー１０３からスキャンした文書画像を受信する。
【００１４】
汎用システム１００は、外部画像システムＡ１０４ならびに外部画像システムＢ１０５から、非ＤＩＣＯＭ画像ならびに当該非ＤＩＣＯＭ画像に関するメタ情報を受信する。メタ情報は、検査日時や患者ＩＤなどをＸＭＬ（Ｅｘｔｅｎｓｉｂｌｅ  Ｍａｒｋｕｐ  Ｌａｎｇｕａｇｅ）形式で記述したものである。
【００１５】
汎用システム１００は、写真や文書画像、非ＤＩＣＯＭ画像を登録した場合に、電子カルテシステム１０６に当該画像が取得されたことを示すメッセージであって、電子カルテに当該画像に関する情報を登録するためのメッセージ（以下では、画像登録メッセージと称する。）を送信する。
【００１６】
以下では、医用画像に付帯する情報を付帯情報と称し、付帯情報はＤＩＣＯＭ画像における画像以外の情報を含むデータエレメント、非ＤＩＣＯＭ画像に関するメタ情報、写真や文書画像に関するメタ情報を含む。
【００１７】
汎用システム１００は、外部画像システムＢ１０５ならびにＰＡＣＳ１０７と連携し、電子カルテシステム１０６からのリクエストなどに応じて管理する画像を表示するポータルの機能を提供する。これにより、ユーザーが汎用システム１００の画面を介して、外部画像システムＢ１０５ならびにＰＡＣＳ１０７の機能を用いて画像を参照することができる。
【００１８】
モダリティ１０１は、被検体を撮影してＤＩＣＯＭ画像を取得する。モダリティ１０１は、ＰＡＣＳ１０７とＤＩＣＯＭ規格に準拠したプロトコルで通信を行い、ＤＩＣＯＭ画像を送信する。ＣＴ装置やＭＲＩ装置、眼底カメラや内視鏡はそれぞれモダリティの一例である。
【００１９】
デジタルカメラ１０２は、写真を撮影する。デジタルカメラ１０２はＦＴＰ（Ｆｉｌｅ  Ｔｒａｎｓｆｅｒ  Ｐｒｏｔｏｃｏｌ）プロトコルやフォルダ共有などの通信を行い、当該写真を汎用システム１００に送信する。
【００２０】
スキャナー１０３は、文書をスキャンして画像化し、文書画像を取得する。スキャナー１０３はＦＴＰプロトコルやフォルダ共有などの通信を行い、文書画像を汎用システム１００に送信する。
【００２１】
外部画像システムＡ１０４は、被検体を撮影して非ＤＩＣＯＭ画像を取得する。外部画像システムＡ１０４は、ＦＴＰプロトコルやフォルダ共有などの通信を行い、非ＤＩＣＯＭ画像ならびに当該非ＤＩＣＯＭ画像に関するＸＭＬ形式のメタ情報を汎用システム１００に送信する。外部画像システムＡ１０４は、非ＤＩＣＯＭ画像を取得するための撮影装置を含む。外部画像システムＡ１０４はプロセッサとメモリを含み、メモリに記憶されたプログラムをプロセッサが読み出して実行することにより、外部画像システムＡ１０４の機能を実現する。
【００２２】
外部画像システムＡ１０４は、非ＤＩＣＯＭ画像を撮影するが、撮影した非ＤＩＣＯＭ画像の管理を行わないため、画像を一意に識別するユニークＩＤを発行しない。したがって、外部画像システムＡ１０４で生成されるメタ情報は、画像を一意に識別するユニークＩＤを含まない。また、外部画像システムＡ１０４は、電子カルテシステム１０６に対して画像登録メッセージを送信しない。
【００２３】
外部画像システムＢ１０５は、被検体を撮影して非ＤＩＣＯＭ画像を取得する。外部画像システムＢ１０５は、ＦＴＰプロトコルやフォルダ共有などの通信を行い、非ＤＩＣＯＭ画像ならびに当該非ＤＩＣＯＭ画像に関するＸＭＬ形式のメタ情報を汎用システム１００に送信する。外部画像システムＢ１０５は、非ＤＩＣＯＭ画像を取得するための撮影装置を含む。外部画像システムＢ１０５はプロセッサとメモリを含み、目盛りに記憶されたプログラムをプロセッサが読み出して実行することにより、外部画像システムＢ１０５の機能を実現する。
【００２４】
さらに外部画像システムＢ１０５は、撮影した非ＤＩＣＯＭ画像の管理を行う。外部画像システムＢ１０５は管理のために、撮影した非ＤＩＣＯＭ画像を一意に識別するユニークＩＤを発行する。外部画像システムＢ１０５で生成されるメタ情報は、画像を一意に識別するユニークＩＤを含む。また、外部画像システムＢ１０５は、電子カルテシステム１０６に対して画像登録メッセージを送信する。加えて、外部画像システムＢ１０５は、汎用システム１００や電子カルテシステム１０６からリンク呼び出しされることで、自身が管理する画像を参照させることができる。
【００２５】
電子カルテシステム１０６は、患者の診療内容（診療録）を記憶する。電子カルテシステム１０６は、当該患者を被検体とするＤＩＣＯＭ画像、非ＤＩＣＯＭ画像、写真に関する情報を記憶する。また、電子カルテシステム１０６は、当該患者に関する文書の情報（たとえば文書画像）を記憶する。
【００２６】
電子カルテシステム１０６は、汎用システム１００、外部画像システムＢ１０５ならびにＰＡＣＳ１０７から画像の登録や削除のメッセージを受信する。電子カルテシステム１０６は、汎用システム１００等から受信したメッセージからリンク情報を生成・削除して、それぞれのシステムを介して画像を参照できるようにする。電子カルテシステム１０６はＨＩＳ（Ｈｏｓｐｉｔａｌ  Ｉｎｆｏｒｍａｔｉｏｎ  Ｓｙｓｔｅｍ）（不図示）に含まれていてもよい。電子カルテシステム１０６はプロセッサとメモリを含み、メモリに記憶されたプログラムをプロセッサが読み出して実行することにより、電子カルテシステム１０６の機能を実現する。
【００２７】
ＰＡＣＳ１０７は、モダリティ１０１からＤＩＣＯＭ画像を受信し、保存する。ＰＡＣＳ１０７は一つまたは複数のサーバーから構成される。ＰＡＣＳ１０７は、受信したＤＩＣＯＭ画像を汎用システム１００に送信する。ＰＡＣＳ１０７は、モダリティ１０１から受信したＤＩＣＯＭ画像を取得すると、電子カルテシステム１０６に画像登録メッセージを送信する。
【００２８】
図２は、外部画像システムＡ１０４により撮影された非ＤＩＣＯＭ画像の情報を、電子カルテシステム１０６に登録する場合の、各システムの処理を表したシーケンス図である。
【００２９】
ユーザーが外部画像システムＡ１０４を用いて非ＤＩＣＯＭ画像を撮影、登録すると（Ｓ２０１）、外部画像システムＡ１０４は、当該非ＤＩＣＯＭ画像に関する検査日時や患者ＩＤなどに基づくメタ情報を作成する（Ｓ２０２）。外部画像システムＡ１０４は、非ＤＩＣＯＭ画像と当該非ＤＩＣＯＭ画像のメタ情報とを汎用システム１００に送信する（Ｓ２０３）。
【００３０】
汎用システム１００は、受信した非ＤＩＣＯＭ画像とメタ情報を保存し（Ｓ２０４）、画像登録メッセージを電子カルテシステム１０６に送信する（Ｓ２０５）。
【００３１】
電子カルテシステム１０６は、受信したメッセージに基づいて当該非ＤＩＣＯＭ画像の情報を登録する。具体的には、電子カルテシステム１０６は、汎用システム１００上の当該非ＤＩＣＯＭ画像にアクセスするためのリンク情報を作成し、保存する（Ｓ２０６）。
【００３２】
図３は、外部画像システムＢ１０５により撮影された非ＤＩＣＯＭ画像を、電子カルテシステム１０６に登録する場合の、各システムの処理を表したシーケンス図である。
【００３３】
ユーザーが外部画像システムＢ１０５を用いて非ＤＩＣＯＭ画像を撮影、登録すると（Ｓ３０１）、外部画像システムＢ１０５は撮影された非ＤＩＣＯＭ画像を保存する（Ｓ３０２）。外部画像システムＢ１０５は、当該非ＤＩＣＯＭ画像を一意に識別するために発行したユニークＩＤや検査日時や患者ＩＤなどに基づくメタ情報を作成する（Ｓ３０３）。外部画像システムＢ１０５は、電子カルテシステム１０６に画像登録メッセージを送信する（Ｓ３０４）。
【００３４】
電子カルテシステム１０６は受信したメッセージに基づいて、当該非ＤＩＣＯＭ画像の情報を登録する。具体的には、電子カルテシステム１０６は外部画像システムＢ１０５上の当該非ＤＩＣＯＭ画像にアクセスするためのリンク情報を作成し、保存する（Ｓ３０５）。
【００３５】
外部画像システムＢ１０５は、非ＤＩＣＯＭ画像ならびに作成したメタ情報を汎用システム１００に送信する（Ｓ３０６）。汎用システム１００は、受信した非ＤＩＣＯＭ画像ならびにメタ情報を保存する（Ｓ３０７）。
【００３６】
図４は、外部画像システムＡ１０４が出力するメタ情報の一例である。
【００３７】
メタ情報には＜Ｓｔｕｄｙ＞タグで囲まれた検査情報を示すブロック４０１があり、その中に＜ＳｔｕｄｙＤａｔｅＴｉｍｅ＞タグで囲まれた検査日時、＜ＲｅｇｉｓｔｅｒｅｄＤａｔｅＴｉｍｅ＞タグで囲まれた登録日時、＜Ｔｙｐｅ＞タグで囲まれた種別情報が記載されている。また、＜ＰａｔｉｅｎｔＩｎｆｏ＞タグ内には＜ＰａｔｉｅｎｔＩＤ＞タグで囲まれた患者ＩＤが記載されており、当該検査がどの患者に対して行われたかが関連付けられている。また、＜Ｓｅｒｉｅｓ＞タグで囲まれたシリーズ情報を示すブロック４０２があり、検査中の画像をグルーピングできるように構成されている。シリーズ情報中には＜Ｉｍａｇｅｓ＞タグがあり、その中に個々の画像情報を表す＜ＩｍａｇｅＩｎｆｏ＞ブロック４０３ならびに４０４が存在する。画像情報には＜ＩｍａｇｅＦｉｌｅＮａｍｅ＞タグに囲まれた画像のファイル名ならびに＜ＣｏｎｔｅｎｔＤａｔｅＴｉｍｅ＞タグで囲まれた撮影日時が記憶されている。なお、外部画像システムＡ１０４は、ユニークＩＤを付与しないため、ブロック４０１、ブロック４０２、ブロック４０３ならびにブロック４０４にはユニークＩＤが含まれていない。
【００３８】
図５は、外部画像システムＢ１０５が出力するメタ情報の一例である。
【００３９】
メタ情報には＜Ｓｔｕｄｙ＞タグで囲まれた検査情報を示すブロック５０１があり、図４のブロック４０１と異なり、検査を一意に識別するユニークＩＤを示す属性ＳｔｕｄｙＵｉｄが記載されている。シリーズ情報を示すブロック５０２も、図４のブロック４０２と異なり、シリーズを一意に識別するユニークＩＤを示す属性ＳｅｒｉｅｓＵｉｄが記載されている。画像情報を示すブロック５０３ならびに５０４も、図４のブロック４０３ならびに４０４と異なり、画像を一意に識別するユニークＩＤを示す属性ＩｍａｇｅＵｉｄが記載されている。
【００４０】
図６は、汎用システム１００の機能構成の一例を示す図である。
【００４１】
ＩＤ生成部６０１は、デジタルカメラ１０２やスキャナー１０３、外部画像システムＡ１０４など、ユニークＩＤを発行しない装置から受信した画像に対して、ユニークＩＤを発行する。ユニークＩＤの発行処理については後述する。
【００４２】
制御部６０２は、画像取得部６０３から受信したＤＩＣＯＭ画像、写真、文書画像、非ＤＩＣＯＭ画像ならびにメタ情報を記憶部６０５に出力する。画像またはメタ情報にユニークＩＤが含まれていない場合、ＩＤ生成部６０１が発行したユニークＩＤを取得し、記憶部６０５に出力する際に当該画像を識別するユニークＩＤとして設定する。画像ならびにメタ情報に患者ＩＤも含まれていない場合、ＵＩ部６０６に画像を表示し、患者ＩＤをユーザーに入力させ、入力された患者ＩＤと画像とを関連付ける。また、制御部６０２は、写真、文書画像ならびに非ＤＩＣＯＭ画像を記憶部６０５に記憶した後、通信部６０４に画像登録メッセージを出力する。制御部６０２の処理については後述する。
【００４３】
画像取得部６０３は、デジタルカメラ１０２から写真、スキャナー１０３から文書画像、外部画像システムＡ１０４ならびに外部画像システムＢ１０５から非ＤＩＣＯＭ画像およびメタ情報を、ＰＡＣＳ１０７からＤＩＣＯＭ画像を取得し、制御部６０２に出力する。
【００４４】
通信部６０４は、制御部６０２から受信した画像登録メッセージを電子カルテシステム１０６に出力する。
【００４５】
記憶部６０５は、制御部６０２から受信した画像を、患者ＩＤなどに基づいて検索・取得が可能な形で整理し、記憶する。
【００４６】
ＵＩ部６０６は、電子カルテシステム１０６などのリクエストに基づいて、記憶部６０５に記憶した画像を一覧表示する。また、画像一覧から、連携する外部画像システムＢ１０５やＰＡＣＳ１０７の画像を参照できる機能を提供する。さらに、ＵＩ部６０６は、患者ＩＤが含まれない画像を受信した場合に、ユーザーに患者ＩＤを入力させるための画面を表示する。これにより、患者ＩＤを含まない画像と患者とが関連付けられ、入力された情報を記憶部６０５に出力する。
【００４７】
汎用システム１００はたとえばコンピュータにより実現される情報処理装置であり、当該情報処理装置はメモリとプロセッサと通信回路とを含む。情報処理装置はメモリとして、たとえばＲＡＭ（Ｒａｎｄｏｍ  Ａｃｃｅｓｓ  Ｍｅｍｏｒｙ）、ハードディスク、フラッシュメモリ、ＳＳＤ（Ｓｏｌｉｄ  Ｓｔａｔｅ  Ｄｒｉｖｅ）などの少なくともいずれか一つを含む。情報処理装置はプロセッサとして、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ），ＳＰＬＤ（Ｓｉｍｐｌｅ  Ｐｒｏｇｒａｍｍａｂｌｅ  Ｌｏｇｉｃ  Ｄｅｖｉｃｅ），ＣＰＬＤ（Ｃｏｍｐｌｅｘ  Ｐｒｏｇｒａｍｍａｂｌｅ  Ｌｏｇｉｃ  Ｄｅｖｉｃｅ），ＦＰＧＡ（Ｆｉｅｌｄ−Ｐｒｏｇｒａｍｍａｂｌｅ  Ｇａｔｅ  Ａｒｒａｙ）などの少なくともいずれか一つを含む。プロセッサはメモリに保存されたプログラムを読出し実行することで、汎用システム１００としての機能を実現する。メモリにプログラムを保存する代わりに、プロセッサの回路内にプログラムを直接組み込むよう構成してもよい。この場合、プロセッサは回路内に組み込まれたプログラムを読出し実行することで汎用システム１００としての機能を実現する。各プロセッサは、プロセッサごとに単一の回路として構成されてもよいし、複数の独立した回路を組み合わせて一つのプロセッサとして構成してもよい。情報処理装置は、目的に応じて複数の通信回路を有していてもよい。
【００４８】
図７は、ＩＤ生成部６０１がユニークＩＤを生成する際のフローチャートである。
【００４９】
ＩＤ生成部６０１はリクエストを受けると、制御部６０２からユニークＩＤを発行する対象となる画像を撮影した装置の装置識別ＩＤを取得する（Ｓ７０１）。次にＩＤ生成部６０１は、汎用システム１００に割り当てられたオブジェクト識別子を読み込み（Ｓ７０２）、病院ＩＤを読み込む（Ｓ７０３）。
【００５０】
なお、オブジェクト識別子は、汎用画像管理システム１００そのものを表すために定義した一意な識別情報であり、病院ＩＤはシステムベンダーが定義したＩＤであり、病院ごとに一意なＩＤが発行されているものとする。
【００５１】
次に、ＩＤ生成部６０１は現在日時を取得する（Ｓ７０４）。その後ＩＤ生成部６０１は、Ｓ７０１からＳ７０４にて取得、読み込みした情報に基づいて検査ＵＩＤを生成し（Ｓ７０５）、検査ＵＩＤからシリーズＵＩＤを生成する（Ｓ７０６）。ＩＤ生成部６０１は、シリーズＵＩＤから画像ＵＩＤを生成する（Ｓ７０７）。ＩＤ生成部６０１はＳ７０７の処理を画像数の分、繰り返して（Ｓ７０８）、検査、シリーズ、画像の各ＵＩＤを生成する。
【００５２】
図８は、ＩＤ生成部６０１が生成する検査ＵＩＤ、シリーズＵＩＤ、画像ＵＩＤの一例である。
【００５３】
ＩＤ生成部６０１は、オブジェクト識別子８０１、病院ＩＤ８０２、装置識別ＩＤ８０３、現在日時８０４をピリオドで連結して検査ＵＩＤを生成する。またＩＤ生成部６０１は、生成した検査ＵＩＤ８０５に整数１をピリオドで連結してシリーズＵＩＤを生成し、シリーズＵＩＤ８０６に１から始まる整数をピリオドで連結して、画像ＵＩＤを生成する。なお、上記のＵＩＤは一例であり、それぞれの属性を一意に識別できる値であればよい。
【００５４】
図９は、汎用システム１００が画像とメタ情報とを保存し、画像登録メッセージを出力する際のフローチャートである。
【００５５】
制御部６０２は、受信した画像とメタ情報を読み込む（Ｓ９０１）。制御部６０２は、画像またはメタ情報のいずれかに患者ＩＤが記載されているかを確認する（Ｓ９０２）。
【００５６】
画像またはメタ情報のいずれかに患者ＩＤが記載されている場合（Ｓ９０２のＹＥＳ）、制御部６０２は画像またはメタ情報のいずれかにユニークＩＤが記載されているかを確認する（Ｓ９０３）。ここで、ユニークＩＤは当該画像を一意に識別するための識別情報（たとえば画像ＵＩＤ）を含む。
【００５７】
画像またはメタ情報のいずれかにユニークＩＤが記載されている場合（Ｓ９０３のＹＥＳ）、記憶部６０５に画像、メタ情報に記載された検査情報、シリーズ情報および画像情報を保存し（Ｓ９０４）、処理を終了する。
【００５８】
一方、画像またはメタ情報のいずれにも患者ＩＤが記載されていない場合（Ｓ９０２のＮＯ）、ＵＩ部６０６はユーザーに患者ＩＤを入力させて取得する（Ｓ９０５）。制御部６０２は、ＩＤ生成部６０１からユニークＩＤを取得し（Ｓ９０６）、画像ならびにユニークＩＤ、メタ情報に記載された検査情報、シリーズ情報および画像情報を記憶部６０５に保存する（Ｓ９０７）。
【００５９】
制御部６０２は、予めシステムに設定したパラメータに基づいて、通信部６０４を介して画像登録メッセージを電子カルテシステム１０６に出力する（Ｓ９０８）。
【００６０】
画像またはメタ情報のいずれにもユニークＩＤが記載されていない場合（Ｓ９０３のＮＯ）も、Ｓ９０６からＳ９０８の処理が実行される。
【００６１】
図１０は、制御部６０２が通信部６０４を介して出力する画像登録メッセージの一例である。
【００６２】
メッセージには＜Ｅｖｅｎｔ＞タグで囲まれたイベント種別を示すブロック１００１がある。図１０の例では、イベント種別がＩＭＰＯＲＴになっているため、当該検査が登録されたことを表す。
【００６３】
ブロック１００１の後に検査ＵＩＤを示す属性ＳｔｕｄｙＵｉｄを持つ＜Ｓｔｕｄｙ＞タグで囲まれた検査情報を示すブロック１００２がある。ブロック１００２の中には、＜ＳｔｕｄｙＤａｔｅＴｉｍｅ＞タグで囲まれた検査日時、＜ＲｅｇｉｓｔｅｒｅｄＤａｔｅＴｉｍｅ＞タグで囲まれた登録日時、＜Ｔｙｐｅ＞タグで囲まれた種別情報が記載されている。また、＜ＤｅｖｉｃｅＩｄ＞タグで囲まれた装置識別ＩＤが記載されており、当該検査がどの装置で行われたのかが関連付けられている。さらに、＜ＰａｔｉｅｎｔＩｎｆｏ＞タグ内には＜ＰａｔｉｅｎｔＩＤ＞タグで囲まれた患者ＩＤが記載されており、当該検査がどの患者に対して行われたかが関連付けられている。
【００６４】
また、シリーズＵＩＤを示す属性ＳｅｒｉｅｓＵｉｄを持つ＜Ｓｅｒｉｅｓ＞タグで囲まれたシリーズ情報を示すブロック１００３があり、検査中の画像をグルーピングできるように構成されている。
【００６５】
シリーズ情報中には＜Ｉｍａｇｅｓ＞タグがあり、その中に画像ＵＩＤを示す属性ＩｍａｇｅＵｉｄを持つ個々の画像情報を表す＜ＩｍａｇｅＩｎｆｏ＞ブロック１００４ならびに１００５が存在する。画像情報には＜ＩｍａｇｅＦｉｌｅＮａｍｅ＞タグに囲まれた画像のファイル名ならびに＜ＣｏｎｅｎｔＤａｔｅＴｉｍｅ＞タグで囲まれた撮影日時が記憶されている。
【００６６】
このように、実施例１にかかる情報処理装置は、外部の画像システムが医用画像に対してユニークＩＤを付与したか否かに基づいて、当該医用画像の情報を電子カルテシステムに登録するためのメッセージを送信するか否かを制御する。これにより、外部の画像システムが当該医用画像の情報に関するメッセージを電子カルテシステムに送信済みの場合には、同じ画像に対する情報処理装置からのメッセージの送信が抑制される。外部の画像システムが当該医用画像の情報に関するメッセージを電子カルテシステムに送信していない場合には、情報処理装置からメッセージが送信される。これにより、医用画像が効率よく管理され、電子カルテシステム上も適切に情報が登録される。情報処理装置は、電子カルテシステムの動作に支障をきたすことや、二重に登録された情報によりユーザーが混乱するのを防ぐことができる。
【００６７】
なお、実施例１では汎用システム１００はデジタルカメラ１０２やスキャナー１０３とネットワーク接続を行う構成にしたが、これに限らない。汎用システム１００は、デジタルカメラ１０２やスキャナー１０３からの画像をメモリーカードなどの可搬型メディアを使って取り込む構成としてもよい。
【００６８】
また、実施例１ではメタ情報をＸＭＬ形式で渡す構成としたが、ユニークＩＤを含まないメタ情報の場合、ＪＰＥＧ画像のＥＸＩＦタグやファイル名に患者ＩＤや検査日時を記載する構成であってもよい。
【００６９】
また、実施例１では汎用システム１００がＤＩＣＯＭ画像をＰＡＣＳ１０７から受信する構成としたが、モダリティから１０１から受信する構成としてもよい。
【００７０】
また、実施例１ではユニークＩＤを汎用システム１００にて発行する構成としたが、汎用システム１００の外部にユニークＩＤを発行する発行装置（不図示）を設けてもよい。汎用システム１００は、外部画像システムＡ１０４から取得した医用画像にはユニークＩＤが付与されていないので、外部の発行装置に、当該医用画像に対するユニークＩＤを発行するよう依頼する。汎用システム１００は、発行装置により発行されたユニークＩＤが付与された医用画像を取得した場合には、電子カルテシステム１０６に画像登録メッセージを送信しないように構成する。
【００７１】
［実施例２］
実施例２では、電子カルテシステムに、画像登録のメッセージが既に送信されているか否かを問い合わせる例について記述する。なお、実施例１と重複する部分については、上述の説明を援用することによりここでの詳しい説明を省略する。
【００７２】
図１１は、汎用システム１００の機能構成の一例を示す図である。汎用システム１００はたとえばコンピュータにより実現され、実施例２にかかる情報処理装置の一例である。
【００７３】
制御部１１０２は、図６の制御部６０２の機能に加えて、検査情報の登録有無を、通信部を介して汎用システム１００の外部のシステムに問い合わせて、画像登録メッセージを電子カルテシステム１０６に送信するか否かを判定する。処理については後述する。
【００７４】
通信部１１０４は、図６の通信部６０４の機能に加えて、検査情報の登録有無を汎用システム１００の外部のシステムに問い合わせて、その結果を制御部１１０２に出力する。
【００７５】
図１２は、外部画像システムＢ１０５により撮影された非ＤＩＣＯＭ画像の情報を、電子カルテシステム１０６に登録する場合の、各システムの処理の一例を表したシーケンス図である。
【００７６】
ユーザーが外部画像システムＢ１０５を用いて非ＤＩＣＯＭ画像を撮影、登録すると（Ｓ１２０１）、外部画像システムＢ１０５は撮影された非ＤＩＣＯＭ画像を保存する（Ｓ１２０２）。外部画像システムＢ１０５は、当該非ＤＩＣＯＭ画像を一意に識別するために発行したユニークＩＤや検査日時や患者ＩＤなどに基づくメタ情報を作成し（Ｓ１２０３）、汎用システム１００に送信する（Ｓ１２０４）。
【００７７】
汎用システム１００は、受信した非ＤＩＣＯＭ画像ならびにメタ情報を保存し（Ｓ１２０５）、電子カルテシステム１０６に、受信したメタ情報に記載の検査情報が登録済みかを問い合わせる（Ｓ１２０６）。電子カルテシステム１０６は、汎用システム１００に当該検査情報が登録済みか否かを判定し、結果の情報を送信する。
【００７８】
電子カルテシステム１０６に当該検査情報が存在しない場合、汎用システム１００は画像登録メッセージを電子カルテシステムに送信する（Ｓ１２０７）。電子カルテシステム１０６に当該検査情報が存在する場合は、外部画像システムＢ１０５から電子カルテシステム１０６に画像登録メッセージが既に送信されているので、汎用システム１００は画像登録メッセージを送信しない。
【００７９】
電子カルテシステム１０６は、受信した画像登録メッセージに基づいて汎用システム１００又は外部画像システムＢ１０５上の当該非ＤＩＣＯＭ画像にアクセスするためのリンク情報を作成し、保存する（Ｓ１２０８）。
【００８０】
図１３は、汎用システム１００が画像とメタ情報を保存し、メッセージを出力する際のフローチャートである。
【００８１】
制御部１１０２は、汎用システム１００の外部のシステムから受信した画像とメタ情報とを読み込む（Ｓ１３０１）。制御部１１０２は、画像またはメタ情報のいずれかに患者ＩＤが記載されているかを確認する（Ｓ１３０２）。
【００８２】
画像またはメタ情報のいずれかに患者ＩＤが記載されている場合（Ｓ１３０２のＹＥＳ）、制御部１１０２は画像またはメタ情報のいずれかにユニークＩＤが記載されているかを確認する（Ｓ１３０３）。
【００８３】
画像またはメタ情報のいずれかにユニークＩＤが記載されている場合（Ｓ１３０３のＹＥＳ）、記憶部６０５に画像、メタ情報に記載された検査情報、シリーズ情報および画像情報を保存する（Ｓ１３０４）。制御部１１０２は、電子カルテシステム１０６に、当該検査ＵＩＤを持つ検査情報が既に登録されているか否かを問い合わせる（Ｓ１３０５）。
【００８４】
当該検査ＵＩＤを持つ検査情報が電子カルテシステム１０６に登録済みの場合（Ｓ１３０６のＹＥＳ）、そのまま処理を終了する。未登録の場合（Ｓ１３０６のＮＯ）、制御部１１０２は予めシステムに設定したパラメータに基づいて、通信部１１０４を介して画像登録メッセージを電子カルテシステム１０６に出力する（Ｓ１３１０）。
【００８５】
一方、画像またはメタ情報のいずれにも患者ＩＤが記載されていない場合（Ｓ１３０２のＮＯ）、ＵＩ部６０６はユーザーに患者ＩＤを入力させて取得する（Ｓ１３０７）。制御部１１０２はＩＤ生成部６０１からユニークＩＤを取得し（Ｓ１３０８）、画像ならびにユニークＩＤ、メタ情報に記載された検査情報、シリーズ情報および画像情報を記憶部６０５に保存する（Ｓ１３０９）。最後に、Ｓ１３１０の処理が実行される。
【００８６】
また、ユニークＩＤが記載されていない場合（Ｓ１３０３のＮＯ）も、Ｓ１３０８からＳ１３１０の処理が実行される。
【００８７】
このように、実施例２にかかる情報処理装置は、電子カルテシステムにメッセージを送信する前に、同一ユニークＩＤの情報が既に登録されているか否かを問い合わせる。これにより、様々な画像システムが混在する場合でも、同じ画像に対するメッセージが重複して送信されるのを抑制することができる。情報処理装置は、電子カルテシステムの動作に支障をきたすことや、二重に登録された情報によりユーザーが混乱するのを防ぐことができる。
【００８８】
［実施例３］
実施例３では、情報処理装置の外部の画像システムに、画像登録のメッセージを電子カルテシステムに送信したか否かを問い合わせる例について記述する。なお、実施例１ならびに実施例２と重複する部分については、上述した説明を援用することによりここでの詳しい説明を省略する。汎用システム１００はたとえばコンピュータにより実現され、実施例３にかかる情報処理装置の一例である。
【００８９】
図１４は、外部画像システムＢ１０５により撮影された非ＤＩＣＯＭ画像を電子カルテシステム１０６に登録する場合の、各システムの処理の一例を表したシーケンス図である。
【００９０】
ユーザーが外部画像システムＢ１０５を用いて非ＤＩＣＯＭ画像を撮影、登録すると（Ｓ１４０１）、外部画像システムＢ１０５は撮影された非ＤＩＣＯＭ画像を保存する（Ｓ１４０２）。外部画像システムＢ１０５は、当該非ＤＩＣＯＭ画像を一意に識別するために発行したユニークＩＤや検査日時や患者ＩＤなどに基づくメタ情報を作成し（Ｓ１４０３）、汎用システム１００に送信する（Ｓ１４０４）。
【００９１】
汎用システム１００は、受信した非ＤＩＣＯＭ画像ならびにメタ情報を保存し（Ｓ１４０５）、外部画像システムＢ１０５に、受信した非ＤＩＣＯＭ画像の情報を、電子カルテシステム１０６に送信したか否かを問い合わせる（Ｓ１４０６）。
【００９２】
問い合わせの結果、外部画像システムＢ１０５が電子カルテシステム１０６に画像登録メッセージを送信していない場合、汎用システム１００は画像登録メッセージを電子カルテシステム１０６に送信する（Ｓ１４０７）。
【００９３】
電子カルテシステム１０６は、受信したメッセージに基づいて汎用システム１００にアクセスするためのリンク情報を作成し、保存する（Ｓ１４０８）。
【００９４】
図１５は、汎用システム１００が画像とメタ情報を保存し、メッセージを出力する処理の一例を示すフローチャートである。
【００９５】
制御部１１０２は、外部画像システムＢ１０５から受信した画像とメタ情報とを読み込む（Ｓ１５０１）。制御部１１０２は、画像またはメタ情報のいずれかに患者ＩＤが記載されているかを確認する（Ｓ１５０２）。
【００９６】
画像またはメタ情報のいずれかに患者ＩＤが記載されている場合（Ｓ１５０２のＹＥＳ）、制御部１１０２は画像またはメタ情報のいずれかにユニークＩＤが記載されているかを確認する（Ｓ１５０３）。
【００９７】
画像またはメタ情報のいずれかに患者ＩＤが記載されている場合（Ｓ１５０３のＹＥＳ）、制御部１１０２は記憶部６０５に画像、メタ情報に記載された検査情報、シリーズ情報および画像情報を保存する（Ｓ１５０４）。制御部１１０２は、外部画像システムＢ１０５に、当該画像ＵＩＤを持つ画像の情報を電子カルテシステム１０６に送信したか否かを問い合わせる（Ｓ１５０５）。
【００９８】
問い合わせの結果、外部画像システムＢ１０５が電子カルテシステム１０６にメッセージを送信済みの場合（Ｓ１５０６のＹＥＳ）、そのまま処理を終了する。
【００９９】
問い合わせの結果、外部画像システムＢ１０５が電子カルテシステム１０６にメッセージを送信していない場合（Ｓ１５０６のＮＯ）、制御部１１０２は予めシステムに設定したパラメータに基づいて、通信部１１０４を介して画像を登録したことを表すメッセージを電子カルテシステム１０６に出力する（Ｓ１５１０）。
【０１００】
一方、画像またはメタ情報のいずれにも患者ＩＤが記載されていない場合（Ｓ１５０２のＮＯ）、ＵＩ部６０６はユーザーに患者ＩＤを入力させ、取得する（Ｓ１５０７）。制御部１１０２はＩＤ生成部６０１からユニークＩＤを取得し（Ｓ１５０８）、画像、ユニークＩＤならびにメタ情報に記載された検査情報、シリーズ情報および画像情報を記憶部６０５に保存する（Ｓ１５０９）。最後に、Ｓ１５１０の処理が実行される。
【０１０１】
また、画像またはメタ情報のいずれにもユニークＩＤが記載されていない場合（Ｓ１５０３のＮＯ）も、Ｓ１５０８からＳ１５１０の処理が実行される。
【０１０２】
このように、実施例３にかかる情報処理装置は電子カルテシステムにメッセージを送信する前に、画像を登録した外部画像システムが当該メッセージを送信したか否かを問い合わせる。これにより、様々な外部画像システムが混在する中でも、同じ画像に対するメッセージが重複して送信されるのを抑制することができる。情報処理装置は、電子カルテシステムの動作に支障をきたすことや、重複して登録された情報によりユーザーが混乱するのを防ぐことができる。
【０１０３】
［実施例４］
実施例４では、情報処理装置が外部の画像システムから受信したメタ情報に電子カルテへのメッセージ送信有無が記載されている例について記述する。なお、実施例１乃至実施例３と重複する部分については、上述した説明を援用することによりここでの詳しい説明を省略する。
【０１０４】
実施例４において制御部１１０２は、実施例１の制御部６０２に加えて、外部画像システムＡ１０４や外部画像システムＢ１０５から取得したメタ情報を読出し、電子カルテシステム１０６へのメッセージ送信を行うか否かを判定する。
【０１０５】
図１６は、外部画像システムＢ１０５が出力するメタ情報の一例である。
【０１０６】
メタ情報には＜ＲｅｑｕｉｒｅＳｅｎｄＭｅｓｓａｇｅ＞タグで囲まれたメッセージ送信要否を示すブロック１６０１がある。図１６の例では、メッセージ送信要否がＴｒｕｅになっているため、メッセージ送信が必要であることを表す。
【０１０７】
ブロック１６０１の後に検査ＵＩＤを示す属性ＳｔｕｄｙＵｉｄを持つ＜Ｓｔｕｄｙ＞タグで囲まれた検査情報を示すブロック１６０２がある。ブロック１６０２の中には、＜ＳｔｕｄｙＤａｔｅＴｉｍｅ＞タグで囲まれた検査日時、＜ＲｅｇｉｓｔｅｒｅｄＤａｔｅＴｉｍｅ＞タグで囲まれた登録日時、＜Ｔｙｐｅ＞タグで囲まれた種別情報が記載されている。
【０１０８】
また、＜ＤｅｖｉｃｅＩｄ＞タグで囲まれた装置識別ＩＤが記載されており、当該検査がどの装置で行われたのかが関連付けられている。さらに、＜ＰａｔｉｅｎｔＩｎｆｏ＞タグ内には＜ＰａｔｉｅｎｔＩＤ＞タグで囲まれた患者ＩＤが記載されており、当該検査がどの患者に対して行われたかが関連付けられている。
【０１０９】
また、シリーズＵＩＤを示す属性ＳｅｒｉｅｓＵｉｄを持つ＜Ｓｅｒｉｅｓ＞タグで囲まれたシリーズ情報を示すブロック１６０３があり、検査中の画像をグルーピングできるように構成されている。
【０１１０】
シリーズ情報中には＜Ｉｍａｇｅｓ＞タグがあり、その中に画像ＵＩＤを示す属性ＩｍａｇｅＵｉｄを持つ個々の画像情報を表す＜ＩｍａｇｅＩｎｆｏ＞ブロック１６０４ならびに１６０５が存在する。画像情報には＜ＩｍａｇｅＦｉｌｅＮａｍｅ＞タグに囲まれた画像のファイル名ならびに＜ＣｏｎｅｎｔＤａｔｅＴｉｍｅ＞タグで囲まれた撮影日時が記憶されている。
【０１１１】
図１７は、汎用システム１００が画像とメタ情報とを保存し、電子カルテシステム１０６に画像登録メッセージを出力する処理の一例を示すフローチャートである。
【０１１２】
制御部１１０２は、受信した画像とメタ情報を読み込む（Ｓ１７０１）。制御部１１０２は、画像またはメタ情報のいずれかに患者ＩＤが記載されているかを確認する（Ｓ１７０２）。
【０１１３】
画像またはメタ情報のいずれかに患者ＩＤが記載されている場合（Ｓ１７０２のＹＥＳ）、制御部１１０２は画像またはメタ情報のいずれかにユニークＩＤが記載されているかを確認する（Ｓ１７０３）。
【０１１４】
画像またはメタ情報のいずれかにユニークＩＤが記載されている場合（Ｓ１７０３のＹＥＳ）、制御部１１０２は記憶部６０５に画像、メタ情報に記載された検査情報、シリーズ情報および画像情報を保存する（Ｓ１７０４）。制御部１１０２は当該メタ情報にメッセージ送信要と記載されているか否かを確認する（Ｓ１７０５）。
【０１１５】
メタ情報にメッセージ送信要と記載されている場合（Ｓ１７０５のＹＥＳ）、制御部１１０２は予めシステムに設定したパラメータに基づいて、通信部１１０４を介して画像登録メッセージを電子カルテシステム１０６に出力する（Ｓ１７０９）。
【０１１６】
メタ情報にメッセージ送信の情報が記載されていない場合、または送信不要と記載されている場合（Ｓ１７０５のＮＯ）、そのまま処理を終了する。
【０１１７】
一方、患者ＩＤが記載されていない場合（Ｓ１７０２のＮＯ）、ＵＩ部６０６はユーザーに患者ＩＤを入力させて取得する（Ｓ１７０６）。制御部１１０２はＩＤ生成部６０１からユニークＩＤを取得し（Ｓ１７０７）、画像、ユニークＩＤならびにメタ情報に記載された検査情報、シリーズ情報および画像情報を記憶部６０５に保存する（Ｓ１７０８）。最後に、Ｓ１７０９の処理が実行される。
【０１１８】
また、画像またはメタ情報のいずれにもユニークＩＤが記載されていない場合（Ｓ１７０３のＮＯ）も、Ｓ１７０７からＳ１７０９の処理が実行される。
【０１１９】
このように、実施例４にかかる情報処理装置は、外部の画像システムから取得したメタ情報に記載された情報に基づいて、電子カルテシステムにメッセージが送信されているか否かを判定する。これにより、外部の画像システムや電子カルテシステムに問い合わせを行わなくても、様々な外部画像システムが混在する中で、同じ画像に対してメッセージが重複して送信されるのを抑制することができる。情報処理装置は、電子カルテシステムの動作に支障をきたすことや、重複して登録された情報によりユーザーが混乱するのを防ぐことができる。
【０１２０】
［実施例５］
実施例５では、情報処理装置において画像データを削除した場合を例に説明する。なお、実施例１乃至４と重複する部分については、上述した説明を援用することによりここでの詳しい説明を省略する。
【０１２１】
実施例５における制御部１１０２は、実施例１の制御部６０２の機能に加えて、ユーザーがＵＩ部６０６を介して入力した、画像を削除する指示を受け付ける。実施例５における通信部１１０４は、実施例１の通信部６０４の機能に加えて、電子カルテシステム１０６に画像の削除を表すメッセージを出力する。
【０１２２】
図１８は、汎用システム１００が画像を削除する際の処理の一例を示すフローチャートである。
【０１２３】
制御部１１０２は、ＵＩ部６０６から削除対象となった検査ＵＩＤを受信すると（Ｓ１８０１）、記憶部６０５から削除対象となった検査情報を読み込む（Ｓ１８０２）。制御部１１０２は、記憶部６０５から当該検査情報を削除する（Ｓ１８０３）。
【０１２４】
制御部１１０２は、システム設定から出力モードを取得し、確認する（Ｓ１８０４）。出力モードが「出力しない」の場合、そのまま処理を終了する。出力モードが「すべて出力」の場合、電子カルテシステム１０６に画像を削除したことを示すメッセージを出力し、処理を終了する。
【０１２５】
出力モードが「自システム生成ユニークＩＤの場合のみ出力」の場合、検査ＵＩＤが汎用システム１００のオブジェクト識別子ならびに病院ＩＤを含む識別情報で始まるかを確認する（Ｓ１８０６）。検査ＵＩＤの先頭が当該汎用画像管理システムの識別情報で始まる場合（Ｓ１８０６のＹＥＳ）、Ｓ１８０５の処理が実行される。次システム生成ユニークＩＤの場合、当該医用画像は汎用システム１００と電子カルテシステム１０６でのみ管理されているので、当該医用画像が削除されたことを電子カルテシステム１０６に通知する必要がある。
【０１２６】
検査ＵＩＤが当該汎用システム１００のオブジェクト識別子ならびに病院ＩＤを含む識別情報で始まらない場合（Ｓ１８０６のＮＯ）、そのまま処理を終了する。
【０１２７】
図１９は、制御部６０２が通信部６０４を介して出力する画像削除を表すメッセージの一例である。
【０１２８】
メッセージには＜Ｅｖｅｎｔ＞タグで囲まれたイベント種別を示すブロック１９０１がある。図１９の例では、イベント種別がＤＥＬＥＴＥになっているため、当該検査が削除されたことを表す。
【０１２９】
ブロック１９０１の後に検査ＵＩＤを示す属性ＳｔｕｄｙＵｉｄを持つ＜Ｓｔｕｄｙ＞タグで囲まれた検査情報を示すブロック１９０２がある。ブロック１９０２の中には、＜ＳｔｕｄｙＤａｔｅＴｉｍｅ＞タグで囲まれた検査日時、＜ＲｅｇｉｓｔｅｒｅｄＤａｔｅＴｉｍｅ＞タグで囲まれた登録日時が記載されている。さらに、＜ＰａｔｉｅｎｔＩｎｆｏ＞タグ内には＜ＰａｔｉｅｎｔＩＤ＞タグで囲まれた患者ＩＤが記載されており、当該検査がどの患者に対して行われたかが関連付けられている。
【０１３０】
また、シリーズＵＩＤを示す属性ＳｅｒｉｅｓＵｉｄを持つ＜Ｓｅｒｉｅｓ＞タグで囲まれたシリーズ情報を示すブロック１９０３があり、検査中の画像をグルーピングできるように構成されている。
【０１３１】
シリーズ情報中には＜Ｉｍａｇｅｓ＞タグがあり、その中に画像ＵＩＤを示す属性ＩｍａｇｅＵｉｄを持つ個々の画像情報を表す＜ＩｍａｇｅＩｎｆｏ＞ブロック１９０４ならびに１９０５が存在する。画像情報には＜ＩｍａｇｅＦｉｌｅＮａｍｅ＞タグに囲まれた画像のファイル名ならびに＜ＣｏｎｅｎｔＤａｔｅＴｉｍｅ＞タグで囲まれた撮影日時が記憶されている。
【０１３２】
このように、実施例５にかかる情報処理装置は、画像削除時にユニークＩＤに基づいて削除を示すメッセージを電子カルテシステムに送信するか否かを制御する。これにより、外部の画像システムからは参照可能な状態のまま、電子カルテシステムから予期せず当該画像のリンクが削除されるのを防止することができる。
【０１３３】
［変形例］
上述の実施例においては、汎用システム１００が非ＤＩＣＯＭ画像とメタ情報とを取得する場合を例に説明したが、これに限らない。たとえば汎用システム１００はモダリティ１０１からＤＩＣＯＭ画像を取得し、ＤＩＣＯＭタグにユニークＩＤが含まれているか否かを判定してもよい。ＤＩＣＯＭタグにユニークＩＤが含まれていない場合に、モダリティ１０１から電子カルテシステム１０６に画像登録メッセージが送信されていないと判定して、汎用システム１００から電子カルテシステム１０６に画像登録メッセージを送信する。
【０１３４】
別の例では、たとえば汎用システム１００はデジタルカメラ１０２やスキャナー１０３から写真や文書画像を取得して、上述の実施例と同様の処理を行ってもよい。この場合、汎用システム１００は写真や文書画像がメタ情報を有しているか否かを判定し、メタ情報を有していない場合、メタ情報を生成して当該写真や文書画像に対応づけて保存してもよい。また、画像またはメタ情報にユニークＩＤが含まれていない場合、上述の実施例と同様の処理を行って、ユニークＩＤを生成し、生成されたユニークＩＤと対応づけて電子カルテシステム１０６に画像登録メッセージを送信してもよい。
【０１３５】
上述の実施例においては、外部画像システムから取得した画像またはメタ情報の少なくともいずれか一方にユニークＩＤが含まれているか否かに基づいて電子カルテシステム１０６に画像登録メッセージを送信するか否かを制御する場合を例に説明した。ここでユニークＩＤは、画像を一意に識別する識別情報である。識別情報は、たとえば画像ＵＩＤを含む。本発明はこれに限らず、ユニークＩＤとして検査ＵＩＤやシリーズＵＩＤを含んでよく、汎用システム１００は画像ＵＩＤ、シリーズＵＩＤ、検査ＵＩＤの全てが含まれている場合にのみ画像登録メッセージを送信しないように制御してもよく、いずれか一つが含まれている場合には画像登録メッセージを送信しないように制御してもよい。
【０１３６】
上述の実施例においては、メタ情報の一例としてＸＭＬ形式で記述された情報を示したが、これに限らない。たとえばファイル名もメタ情報の一例であり、汎用システム１００はファイル名に記載された患者ＩＤ等を取得してもよい。
【０１３７】
上述の実施例においては、汎用システム１００や電子カルテシステム１０６がＰＡＣＳ１０７と接続されている場合を例に説明したが、これに限らない。たとえばＰＡＣＳ１０７が接続されていない場合、モダリティ１０１から電子カルテシステム１０６に画像登録メッセージが送信されていない場合がある。この場合、汎用システム１００はモダリティ１０１からＤＩＣＯＭ画像を取得する。モダリティ１０１から取得したＤＩＣＯＭ画像にはモダリティ１０１によりユニークＩＤが対応づけられている。汎用システム１００は実施例２や実施例３と同様の処理を行い、電子カルテシステム１０６に画像登録メッセージを送信するようにしてもよい。
【０１３８】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【０１３９】
上述の各実施形態における情報処理装置は単体の装置としてもよいし、複数の装置を互いに通信可能に組合せて上述の処理を実行する情報処理システムとしてもよく、いずれも本発明の実施形態に含まれる。共通のサーバー装置あるいはサーバー群で、上述の処理を実行することとしてもよい。情報処理装置および情報処理システムを構成する複数の装置は所定の通信レートで通信可能であればよく、また同一の施設内あるいは同一の国に存在することを要しない。
【０１４０】
本発明の実施形態には、前述した実施形態の機能を実現するソフトウェアのプログラムを、システムあるいは装置に供給し、そのシステムあるいは装置のコンピュータが該供給されたプログラムのコードを読みだして実行するという形態を含む。
【０１４１】
したがって、実施形態に係る処理をコンピュータで実現するために、該コンピュータにインストールされるプログラムコード自体も本発明の実施形態の一つである。また、コンピュータが読みだしたプログラムに含まれる指示に基づき、コンピュータで稼働しているＯＳなどが、実際の処理の一部又は全部を行い、その処理によっても前述した実施形態の機能が実現され得る。
【０１４２】
上述の実施形態を適宜組み合わせた形態も、本発明の実施形態に含まれる。
【符号の説明】
【０１４３】
１００  汎用画像管理システム
１０１  モダリティ
１０２  デジタルカメラ
１０３  スキャナー
１０４  外部画像システムＡ
１０５  外部画像システムＢ
１０６  電子カルテシステム
１０７  ＰＡＣＳ
６０１  ＩＤ生成部
６０２  制御部
６０３  画像取得部
６０４  通信部
６０５  記憶部
６０６  ＵＩ部
１１０２  制御部
１１０４  通信部
【図１】
2019101484.tif 000003
【図２】
2019101484.tif 000004
【図３】
2019101484.tif 000005
【図４】
2019101484.tif 000006
【図５】
2019101484.tif 000007
【図６】
2019101484.tif 000008
【図７】
2019101484.tif 000009
【図８】
2019101484.tif 000010
【図９】
2019101484.tif 000011
【図１０】
2019101484.tif 000012
【図１１】
2019101484.tif 000013
【図１２】
2019101484.tif 000014
【図１３】
2019101484.tif 000015
【図１４】
2019101484.tif 000016
【図１５】
2019101484.tif 000017
【図１６】
2019101484.tif 000018
【図１７】
2019101484.tif 000019
【図１８】
2019101484.tif 000020
【図１９】
2019101484.tif 000021